Podtech/llm-jp-corpus-v4-ja_patent huggingface dataset:
(57)【要約】【課題】    ナイフに切るだけではなく、切ったものを移動させられる新たな用途を付加する。【解決手段】    ナイフ自体に物を挟み持ちできる、トングの機能をもうけた。【選択図】    図１
2006263416.tif 000002
【特許請求の範囲】
【請求項１】
刃物の取っ手側の末端と、ア−ムの取っ手側の末端とが接続されていて、そこを起点とし、ｖ字形に広がったものであり、両方の取っ手を握れば、刃物の刃の部分と、それに相対するア−ムの部分とが、隙間なくぴったり重なり合い、手をゆるめれば、自然体のＶ字に戻る調理・食事用具。
【請求項２】
刃物に両刃をつけたり、ア−ムにも切断能力をもたせた場合とか、ア−ムの取っ手の長さを短くし、その分だけ接続位置が刃先方向に移動させた場合などの、請求項１記載の調理・食事用具。
【発明の詳細な説明】
【発明の詳細な説明】
刃物で食べ物を切った後、盛り付けしたり、皿に分けたりするには、刃物を持った手だけでは無理である。もう一方の手や、フオ−クをそえたり、刃物をトングに持ち替えたりする必要がある。しかし当発明によりそれらの手間を一切省き、切ることと、挟み持ちすることを、必要に応じいつでも使い分けできる調理・食事用具である。刃物としての使用時、ア−ムが刃の部分に重ねられているので、多少切りづらいが、少しでも切り易くするため、ア−ムを薄く細くし、角をとり、刃先部分には重ねない等、対策が必要であるが通常の刃物より切れ味が多少落ちても、使い方によれば、十分余りある利便性を有するものである。
【図面の簡単な説明】
【図１】  当発明の自然体での斜視図である。
【図２】  当発明の刃物使用時の斜視図である。
【図３】  当発明の接続位置を移動させた場合の斜視図である。
【符号の説明】
１  刃物の刃部分
２  刃物の取っ手部分
３  ア−ム
４  ア−ムの取っ手部分
【図１】
2006263416.tif 000003
【図２】
2006263416.tif 000004
【図３】
2006263416.tif 000005
(57)【要約】      （修正有）【課題】本発明は、安全に耳垢除去を施行するための耳掻きである。外耳道深部までの耳掻きの挿入及び、外部からの衝撃に対して鼓膜損傷を防ぐための目印及び、器具を備えた耳掻きを提供する。【解決手段】従来の耳掻きに、外耳道入口部から鼓膜までの距離よりやや短い部位に目印及び、鼓膜穿孔防止器具を設ける。それにより、外耳道深部までの耳掻きの挿入及び、外部からの衝撃による鼓膜損傷の危険を回避し安全に耳垢除去が行える。【選択図】図２
2006263413.tif 000002
【特許請求の範囲】
【請求項１】
外耳道入口部から鼓膜までの距離を表す目印を設けることによって、鼓膜までの距離を確認できる。それによって鼓膜の損傷を防止し、安全に耳垢除去が行える耳掻き。
【請求項２】
外耳道入口部から鼓膜までの距離よりやや短い部位に鼓膜穿孔防止器具を設けることによって、外耳道深部までの耳掻きの挿入及び、外部からの衝撃による鼓膜損傷の危険を回避し安全に耳垢除去が行える耳掻き。
【発明の詳細な説明】
【技術分野】
【０００１】  本発明は、耳垢除去をする際に、外耳道深部までの耳掻きの挿入及び、外部からの衝撃に対して鼓膜損傷を防ぐための目印及び、器具を備えた耳掻き器具である。
〔背景技術〕【０００２】  従来、耳垢を除去するために、棒状の器具が用いられていた。
〔発明の開示〕
〔発明が解決しようとする課題〕【０００３】  従来の耳掻きで耳垢を除去する際、次のような問題点があった。外耳道深部までの耳掻きの挿入及び、外部からの衝撃による鼓膜損傷の危険が常にともなった。
本発明は、以上の問題点を解決し、耳掻きによる鼓膜損傷を防ぐものである。
〔課題を解決するための手段〕【０００４】  従来の耳掻きに、外耳道入口部から鼓膜までの距離よりやや短い部位に目印及び、鼓膜穿孔防止器具を設ける。それにより、外耳道深部までの耳掻きの挿入及び、外部からの衝撃による鼓膜損傷の危険を回避し安全に耳垢除去が行える。
〔発明の効果〕【０００５】  本発明によって外耳道深部までの耳掻きの挿入及び、外部からの衝撃による鼓膜損傷の危険を回避することができる。
〔発明を実施するための最良の形態〕【０００６】  以下、本発明の実施の形態を説明する。
（イ）従来の耳掻き（１）に、外耳道入口部から鼓膜までの距離よりやや短い部位に目印（２）又は外耳道を越えて鼓膜まで耳掻きの挿入を阻止するためのもの（３）を設ける。
本発明は以上の構成よりなる。
【図面の簡単な説明】
【０００７】    〔図１〕  本発明の全体図
〔図２〕  本発明の全体図
【符号の説明】
【０００８】  （１）従来の耳掻き、（２）目印、（３）外耳道を越えて鼓膜まで耳掻きの挿入を阻止するためのもの
【図１】
2006263413.tif 000003
【図２】
2006263413.tif 000004
(57)【要約】【課題】  本発明は、米などの掛け流し、洗い、水切りを迅速かつ確実に行うことができる万能ボウルを提供することを目的とする。【解決手段】  本発明は、適当口径の開口部を有する器体１の一側部に通孔面部３を設け、この通孔面部の下端部から底面部中心方向に前傾斜面部５を設け、この前傾斜面部の下端縁部に続いて水平底面部７を設け、さらにこの水平底面部の他端縁部に続いて後傾斜面部８を設けて成る。また、前記前傾斜面部の前端中央部に凸起９を設け、この凸起よりも高い凸起１０，１０を前記前傾斜面部の後端左右両側部に設けて成る。【選択図】    図３
2006263293.tif 000002
【特許請求の範囲】
【請求項１】
適当口径の開口部を有する器体の一側部に通孔面部を設け、この通孔面部の下端部から底面部中心方向に前傾斜面部を設け、この前傾斜面部の下端縁部に続いて水平底面部を設け、さらにこの水平底面部の他端縁部に続いて後傾斜面部を設けて成ることを特徴とする調理用ボウル。
【請求項２】
適当口径の開口部を有する器体の一側部に通孔面部を設け、この通孔面部の下端部から底面部中心方向に前傾斜面部を設け、この前傾斜面部の下端縁部に続いて水平底面部を設け、さらにこの水平底面部の他端縁部に続いて後傾斜面部を設け、前記前傾斜面部の前端中央部に凸起を設け、この凸起よりも高い凸起を前記前傾斜面部の後端左右両側部に設けて成ることを特徴とする調理用ボウル。
【発明の詳細な説明】
【技術分野】
【０００１】
本発明は、調理用ボウルに関するものである。
【背景技術】
【０００２】
調理用ボウルのうち、特に洗米用のボウルにあっては、従来、例えば、実開平６−６８６４８号、実用新案登録第３０２０８６７号、実用新案登録第３０３３８０２号、特開２００３−２４２２１号のごとき考案・発明が知られているが、その底面部の構成は必ずしも使用者の立場に立った工夫がなされていないため、洗米ボウルに必要な三つの機能である掛け流しでさらす、洗い研ぐ、水切りするを確実に行うことができない欠点があった。
【０００３】
【特許文献１】実開平６−６８６４８号公報
【特許文献２】登録実用新案第３０２０８６７号公報
【特許文献３】登録実用新案第３０３３８０２号公報
【特許文献４】特開２００３−２４２２１号公報
【発明の開示】
【発明が解決しようとする課題】
【０００４】
そこで、本発明は、このような従来のボウルの欠点を除去した合理的な万能ボウルを提供することを目的とするものである。
【課題を解決するための手段】
【０００５】
本発明は、適当口径の開口部を有する器体の一側部に通孔面部を設け、この通孔面部の下端部から底面部中心方向に前傾斜面部を設け、この前傾斜面部の下端縁部に続いて水平底面部を設け、さらにこの水平底面部の他端縁部に続いて後傾斜面部を設けてなるものである。
【０００６】
また、前記前傾斜面部の前端中央部に凸起を設け、この凸起よりも高い凸起を前記前傾斜面部の後端左右両側部に設けて成るものである。
【発明の効果】
【０００７】
本発明に係るボウルを使用すれば、１回の水使いで米研ぎを確実かつ迅速に行うことができるし、使用する水量も比較的少量ですむことができ、環境上でも大きな効果をあげることができるものとなる。
【０００８】
米研ぎ作業だけではなく、種々の水洗いに本ボウルを使用することができ、その利便性は高い。
【発明を実施するための最良の形態】
【０００９】
本発明のボウルを使用して洗米をするときは、まず器体に適量の米を収容しこれに水をかけ流しすれば、ある程度の洗米ができるから、次に器体を後方向に倒して、後傾斜面部を器体の底面部として洗米を後方部に移動して研ぐ。研いだ後は、器体を前方向に倒して前傾斜面部を器体の底面部として研ぎ水を切るようにする。（図３参照）
【００１０】
洗米が器体の前傾斜面部に移動したときは、前傾斜面部の底面には前端中央に１個、後端左右に２個の凸起があり、後端凸起は前端凸起よりやや高くなるから、洗米の自重によって器体は前方向に傾斜状態に保持されて、洗米水を流すようになる。
【実施例】
【００１１】
１は適当口径の開口部を有する器体で、この器体の口縁部２は水平に形成されて外周縁部に捲着する。
【００１２】
３は前記器体１の一側部に適当数設けた通孔面部で、この通孔面部は間隔部４をおいて３個所に分かれている。
【００１３】
５は前記通孔面部３の下端部から略半円形状に底面部中心方向に設けた前傾斜面部で、前記通孔面部３の中央部の延長線上にある前傾斜面部５の円周部内には小通孔部６を設ける。
【００１４】
７は前記前傾斜面部５の下端縁部に続いて設けた水平底面部で、この水平底面部は全器体底面部の中心に位置する。
【００１５】
８は前記水平底面部６の他端縁部に続いて設けた後傾斜面部で、この後傾斜面部の広さは前記前傾斜面部の広さと略同じである。
【００１６】
９は前記前傾斜面部４の前端中央部に設けた凸起で、この凸起よりも高い凸起１０，１０は前記前傾斜面部５の後端左右両側部に設ける。
【００１７】
前記凸起９の位置は、前記前傾斜面部５の小通孔部６の位置にある。
【図面の簡単な説明】
【００１８】
【図１】全体の平面図
【図２】全体の底斜視図
【図３】（ａ）（ｂ）（ｃ）は使用状態を示す側断面図
【図４】図３（ｃ）の要部の拡大断面図
【符号の説明】
【００１９】
１                    器体
３                    通孔面部
５                    前傾斜面部
６                    小通孔部
７                    水平底面部
８                    後傾斜面部
９                    凸起
１０，１０            凸起
【図１】
2006263293.tif 000003
【図２】
2006263293.tif 000004
【図３】
2006263293.tif 000005
【図４】
2006263293.tif 000006
(57)【要約】      （修正有）【課題】患者が使用する寝具内での患者の気流負荷を減少させ、寝具外への臭気の拡散を防止する。【解決手段】寝具は臭気不透過性カバーで覆われ、寝具上方より送風通路１１より送気され寝具内の患者の上下に設置されたスポンジ状気流減速整流板３で減速整流して寝具下方に設けられた臭気処理用空気貯溜槽４に溜められ、空気通路で送風機又は圧縮機６、紫外線ランプ７、光触媒８、活性炭９を内蔵する脱臭器５を介して大部分の処理空気は循環通路１０で臭気処理用空気貯溜槽４へ返送され循環処理される、処理空気の一部が温度調整器１２を介して送気通路１１より送気される寝具等の脱臭方法を提供する。【選択図】図１
2006263395.tif 000002
【特許請求の範囲】
【請求項１】
寝具は臭気不透過性カバーで覆われ、寝具上方より送気され、寝具内の患者の上下に気流減速整流板で減速整流して通気され、排出された臭気処理対象空気は一旦貯溜され、臭気処理用貯留槽より空気通路で送風機又は圧縮機で脱臭剤を設置した脱臭器を介して大部分の処理空気は循環通路で臭気処理用空気貯溜槽へ返送され循環処理される。処理空気の一部が温度調整器を介して送気通路より送気することを特徴とする寝具等の脱臭方法。
【請求項２】
前記臭気処理用空気貯留槽が寝具の下方に設置されていることを特徴とする請求項１記載の寝具等の脱臭方法。
【請求項３】
前記脱臭器が紫外線放射式、光触媒脱臭方式、活性炭吸着方式またはオゾン分解方式のいずれかの処理方式で処理されることを特徴とする請求項１、２記載の寝具等の脱臭方法。
【請求項４】
前記温度調節器が小型ペルチェ冷暖方式であることを特徴とする請求項１から３いずれか１項記載の寝具等の脱臭方法。
【請求項５】
前記気流減速整流板がフレキシブルな発砲樹脂で出来ていることを特徴とする請求項１から４いずれか１項記載の寝具等の脱臭方法。
【発明の詳細な説明】
【技術分野】
【０００１】  本発明は、がん患者等の病人や寝たきりの病人等が使用している寝具等の脱臭に関するものである。
【従来技術】
【０００２】  寝たきりの老人や入院中の病人の病気からくる悪臭及び失禁などによる悪臭で同室の人への迷惑を気にして落ち込んでいる患者は結構多く精神的に疲癖することが多い。
【０００３】一方。活性炭に代表される脱臭機能を持つ薬剤は多く知られており、便所などから発生する硫化水素、スカトール、メタン、アンモニア、メルカブタン、インドールなど数ある異臭成分に対し優れた脱臭効果が得られると言われている。更に送風機器の送風径路の途中に脱臭剤又は光触媒を設置して、空気中の悪臭成分を吸着あるいは分解するような脱臭機能が組み込まれた脱臭器付寝具がある。
【発明が解決しようとする課題】
【０００４】  これら脱臭器付寝具を用いて、特に、子宮癌、血液癌の患者に使用してみたが、その脱臭効果が認められず、特に、癌の酸化及び癌と細菌との接触による臭気成分が処理し難いと言われており、癌患者は精神的な疲癖のため、病気が進行したことが報告されている。
【０００５】  一方、気象情報でよく聞く「風速と体感温度」の関係があるが、これは風速１０〜２０ｍ／秒と非常に大きな風速の話である。寝たきりの患者では、例えば０．５ｍ／秒でも気にされる方がいる。更に「風むら」が嫌がられる。
本発明は、このような課題を解決して、微風で均質な温度調整され、患者本人及び周りの方々にも快適な空間を提供することを目的とする。
【課題を解決するための手段】
【０００６】  前記課題を解決するためになされた本発明の寝具等の脱臭方法を実施例の図面を参照して記述する。
【０００７】  本発明を適用する寝具等の脱臭方法は、図１に示す如く、寝具は臭気不透過性カバー２で覆われ、寝具上方より送風通路１１より送気され寝具内の患者の上下に設置されたスポンジ状気流減速整流板３で減速整流して寝具下方に設けられた臭気処理用空気貯溜槽４に溜められ、空気通路で送風機又は圧縮機６、紫外線ランプ７、光触媒８、活性炭９を内蔵する脱臭器５を介して大部分の処理空気は循環通路１０で臭気処理用空気貯溜槽４へ返送され循環処理される。処理空気の一部が温度調整器１２を介して送気通路１１より送気される寝具等の脱臭方法であって、本発明の特徴は患者に体感温度はじめ不快感を持たせないための温度制御された微風を気流減速整流板で制御することと、難分解性臭気成分を吸着・分解処理するために処理時間を持たせたことである。患者により体感温度と風量の関係は異なるので患者が温度及び風量が設定出来るようにしてある。又患者により揮発する臭気成分が異なり、難分解性揮発成分の多い患者、又便所等と同様な吸着・分解しやすい揮発成分を発生する患者により、臭気処理用空気貯留槽はフレキシブルな容器とし、難分解性成分の多い患者は臭気処理用空気貯留槽の内容積を大きくして循環処理量を多くする。処理しやすい揮発成分の患者には臭気処理用空気貯留槽の内容積を小さくして循環空気量を少なくして運用する。
【０００８】  本発明の別の様態は騒音の問題である。患者には非常に騒音に敏感な方がいる。その場合は送風機又は圧縮機６が組み込まれた脱臭器５を切り離して屋外に設置してもよい。
【実施例】
【０００９】  以下に、本発明の実施例を図面より詳細に説明する。【００１０】  図１は本発明を適用する寝具の脱臭方法の実施例を示す図面で、理解し易くするために模式図で示した。脱臭装置付寝具１は臭気不透過性カバー２で覆われ、寝具上方より送風通路１１より送気され寝具内の患者の上下に設置されたスポンジ状気流減速整流板３で減速整流して寝具下方に設けられた臭気処理用空気貯溜槽４に溜められ、空気通路で送風機又は圧縮機６、紫外線ランプ７、光触媒８、活性炭９を内蔵する脱臭器５を介して大部分の処理空気は循環通路１０で臭気処理用空気貯溜槽４へ返送され循環処理される。処理空気の一部が温度調整器１２を介して送気通路１１より送気される寝具等の脱臭方法である。但し、微粒子状の埃が発生する場合は送気通路１１内にＵＲＰＡフィルターを設置する必要がある。患者に体感温度はじめ不快感を持たせないためのペルチェ冷暖ユニットで２３±２℃に温度制御された微風を気流減速整流板３で制御して、患者の体感に合わせて０．５ｍ／秒以下で気流流速は制御される。難分解性成分で吸着・分解に処理時間を持たせるための最大３ｍ３容積になるフレキシブル容器になっている。容器は０．５ｍ３内容積まで圧縮できる。患者により体感温度と風量は異なるので患者が温度及び風量を設定出来るようにしてある。
【発明の効果】
【００１１】  患者により体感温度と風量は異なるので患者が温度及び風量を設定出来るようにした。又患者により揮発する臭気成分が異なり、難分解性揮発成分の多い患者と、吸着・分解しやすい揮発成分を発生する患者とで、揮発成分の処理時間が異なるため臭気処理用空気貯留槽はフレキシブルな容器とした。結果、患者の精神的な疲癖が無くなった。
【図面の簡単な説明】
【００１２】
【図１】本発明を適用する寝具等の脱臭方法を説明する模式図
【符号の説明】
【００１３】１．脱臭装置付寝具
２．臭気不透過性カバー
３．気流減速整流板
４．フレキシブル臭気処理用空気貯溜槽
５．脱臭器
６．ファン
７．紫外線ランプ
８．光触媒（粒状酸化チタン）
９．粒状活性炭
１０．循環通路
１１．送気通路
１２．温度調節器（ペルチェ冷暖）
【図１】
2006263395.tif 000003
(57)【要約】      （修正有）【課題】介護施設、病院等では夜間勤務の看護師等が少なく、センサーの誤通報が多くて困り、センサーがなければ、認知症患者の徘徊や老人や乳幼児の転落・転倒事故があった場合、次の巡回まで発見出来ず、対処が遅くなり、人事故につながり信用を落とす可能性がある。また、ライン分配器などのコスト削減、ケーブルの絡みなどの介護の妨げの解消が必要である。【解決手段】各ベッドに広角モーションセンサー３を付けることにより誤通報を防ぎ、ナースコール回線を使い徘徊・転落・転倒を早期にナースステーションに伝え、長時間放置による大事故を防ぐ。２箇所以上のナースコール端子１を使うことにより、センサーの追加も出来、コスト削減・介護しやすさの増大につながる。【選択図】図１
2006263396.tif 000002
【特許請求の範囲】
【請求項１】
ベッド脚部に広角モーションセンサーをつけ、徘徊や転落・転倒等を感知し、ナースコール端子を介してナースステーションに通報することを特徴とする通報装置。
【請求項２】
前記１のナースコール端子を施設側壁に複数個付け、広角センサーケーブルとナースコールスイッチ、その他おむつセンサー等を繋ぐことも出来、ケーブル分配器をなくすことを特徴とする請求項１記載の通報装置。
【発明の詳細な説明】
【技術分野】
【０００１】  この発明は、介護施設や病院等の大事故防止通報に関する。
【背景技術】
【０００２】  従来の施設等の夜間は少人数の看護師等が定期的に巡回する形式である。例えば特許文献１のように、他の徘徊検知装置はベッドのサイドフレームや脚部に赤外線ビームセンサーを設置し信号を遮断したときに通報するものであり、患者が寝返りを打った時や布団で遮った場合も検知してしまい、そのため誤通報してしまうことが多い。また、脚部センサーも跨いでしまった場合は検知されない。
【特許文献１】特開平７−８４６２
【発明の開示】
【発明が解決しようとする課題】
【０００３】しかしながら、以上の技術によれば、施設等の夜間の誤通報が多く、少人数の夜勤看護師の対応がスムーズに行われない。しかし、センサーがなければ、夜間認知症患者や老人がベッドから降りた場合の転落・転倒事故等があっても、次の定期巡回まで看護師等やナースステーションは気が付かない。（ナースコールスイッチがベッドの頭部分に近いため患者本人は届かず通報操作出来ない。）
そこで、この発明は、誤通報をなくし、徘徊あるいは転落・転倒直後にナースセンターにセンサー信号をナースコール回線を介して通報することを課題とする。
【課題を解決するための手段】
【０００４】  以上の課題を解決するために、この発明は、図１の様に、ベッド足側部分に広角モーションセンサーを取り付けることにより、図２、図３の斜線部分のセンサー感知範囲をナースコール回線を介してナースステーションに伝えるシステムである。また、図４の様にセンサー電源部にオンオフスイッチと動作ランプをつけ、夜間巡回でも各ベッドの広角モーションセンサー作動中の確認が取れる装置である。また、施設壁側にナースコール端子を複数個（２箇所以上）つけてケーブルの絡みを解消します。
【発明の効果】
【０００５】  この発明により、ナースコールで呼ばれたときも、夜間認知症患者や老人が徘徊や転倒した場合等のセンサー感知での通報のときも、早期にベッドに駆けつけ対処できる。夜間の少人数の勤務でも誤作動が少なく、転落・転倒事故後の長期放置がなくすむ。また、布団がずれ落ちた場合も寝冷えせずに済むので大事に至る前に対処でき施設の信用向上になる。また、看護師等が、ナースコールで呼ばれたときに、ベッド足元のセンサーオンオフスイッチを解除することにより、看護師等がセンサーに感知されないで看護出来る。複数個のナースコール端子により、おむつセンサー等追加した場合でも、ケーブルの絡みが解消出来、コストダウンにもつながる。
【発明を実施するための最良の形態】
【０００６】  この発明の一実施形態を、図１に示す。
ベッドの脚部分に広角モーションセンサーを取り付ける。施設側壁の複数個のナースコール端子に広角モーションセンサーからのケーブルと従来のナースコールスイッチも接続する。（ナースコールスイッチは当装置に関係なく、常時使用可能）センサー電源アダプター部分に電源ランプオンオフスイッチを付けコンセントに差し込む。【０００７】「広角モーションセンサー」
この広角モーションセンサーは人などの熱源（赤外線）の変化を感知します。図２のように、赤外線感知範囲は距離８ｍ角度１２０度と広いため、的確にベッド下の動きを捉えます。【０００８】「他の実施形態」
図１の実施形態では、施設側壁に複数個（２箇所以上）のナースコール端子があったが、ライン分配器を介しても良い。また、おむつセンサー等をさらに端子に追加しても良い。電源ランプはアダプター取り付け部分であったが、他の実施形態では、コンセント差込口に電源ランプが有っても良い。
【図面の簡単な説明】
【０００９】
【図１】この発明の一実施形態を示す斜視図である。
【図２】広角モーションセンサー感知範囲（上面図）である。
【図３】広角モーションセンサー感知範囲（側面図）である。
【図４】室内上面図である。
【符号の説明】
【００１０】      １  ナースコール端子２個以上    ２  ナースコールスイッチ
３  モーションセンサー          ４  アダプター
５  電源ランプ                  ６  センサー感知範囲
７  カーテン
【図１】
2006263396.tif 000003
【図２】
2006263396.tif 000004
【図３】
2006263396.tif 000005
【図４】
2006263396.tif 000006
(57)【要約】      （修正有）【課題】片手で簡単に材料をこぼさず、水切りや油切りができるフライパンや鍋などの調理器具を提供する。【解決手段】フライパンや鍋の側面上部に複数の穴やスリットを開けることにより材料をこぼすことなく、簡単に水分、油分を切ることができる。【選択図】  図１
2006263399.tif 000002
【特許請求の範囲】
【請求項１】
フライパンや鍋などの側面上部に複数の穴もしくはスリットを開けることにより、調理で溜まった余分な油分、水分を簡単に捨てることができる調理器具である。
【発明の詳細な説明】
【技術分野】
【０００１】  この発明は、フライパンや鍋などの調理器具に関する。
【背景技術】
【０００２】  従来のフライパンや中華鍋などの鍋類は、調理中に鍋に溜まった余分な水分や油分を捨てる際に蓋やスパテラ、箸などで材料を押さえなければならない。
しかし、十分な水切り、油切りをしようとすると材料をこぼしてしまうことがあった。また、必ず両手を使わなければならなかった。
【発明の開示】
【発明が解決しようとする課題】
【０００３】  片手で簡単に材料をこぼさず、水切り、油切りができるフライパンや鍋などの調理器具を提供することを課題とする。
【課題を解決するための手段】
【０００４】  以上の課題を解決するために、この発明は、フライパンや鍋などの側面上部に複数の穴もしくはスリットを開け水切り、油切りを簡単に出来ることを特徴とする。
【発明の効果】
【０００５】  この発明により、鍋を少し傾けるだけで材料をこぼさず、水切り、油切りが簡単にできる。
【発明を実施するための最良の形態】
【０００６】  この発明の一実施形態を、図１に示します。
図１、３は、例としてフライパンと中華鍋の側面に複数の穴もしくはスリットＡとＢを開けた物である。
図２は、穴の断面Ｃ、Ｄのように内側に深く、外側に浅い斜めの穴を開けている。また、上の穴ＣはＤより大きくなっている。【０００７】「実施形態の効果」
この実施形態によれば、蓋、スパテラ、箸などで押さえることなく、材料もこぼさずに水切り、油切りができる。
穴Ｃ，Ｄで内側に深く、外側に浅く斜めの穴を開けているので、傾ける角度を少なくし、フライパンや鍋に沿って生じる伝いダレを抑えることができる。また、上の穴ＣがＤより大きい事により、流す水分や油分の量を調整できる。【０００８】「他の実施形態」
図１の実施形態ではフライパンと中華鍋になっているが他の種類の鍋にも応用できる。スリットの場合、横スリットだけでなく、縦にスリットが入ってもかまわない。
【産業上の利用可能性】
【０００９】  家庭用の調理器具としての販売だけでなく、余分な油をカットする事からダイエット関連の市場にもニーズがあると思われる。
【図面の簡単な説明】
【００１０】
【図１】この発明の一実施形態を示す側面図である。
【図２】この発明の一実施形態を示す断面図である。
【図３】この発明の一実施形態を示す側面図である。
【符号の説明】
【００１１】Ａ、    フライパン側面上部の水切り用の穴、もしくはスリット
Ｂ、    中華鍋側面上部の水切り用の穴、もしくはスリット
Ｃ、    上段水切り穴の断面
Ｄ、    下段水切り穴の断面
【図１】
2006263399.tif 000003
【図２】
2006263399.tif 000004
【図３】
2006263399.tif 000005
(57)【要約】      （修正有）【課題】旅行先やワンルームマンションなどで鏡を使用する際、使用者の使い勝手によって数種類の鏡の使い方ができる、マルチミラー組み替え多機能鏡を提供する。【解決手段】小さな付属パーツ（シリコンやゴムのクッションＤ、フックパーツＥ、吸盤パーツＦ、安定台パーツＧ等）を使って、各鏡の組み合わせを換えるだけでスタンドミラーＪ、拡大鏡Ｉ、二面鏡Ｋ、三面鏡Ｈなどとして使用できる多機能を持った組み換え鏡にすることができる。【選択図】図７
2006263400.tif 000002
【特許請求の範囲】
【請求項１】
各種パーツの組み合わせを変えることによってスタンドミラー、拡大鏡、二面鏡、簡易三面鏡などの複数の使用方法が出来る組み換え鏡。
【発明の詳細な説明】
【技術分野】
【０００１】  この発明は、スタンドミラー、拡大鏡、二面鏡、三面鏡に関する。
【背景技術】
【０００２】  旅行先やワンルームマンションなどで鏡を使おうと思っても壁に取り付けの一枚鏡だけで、使用者の使い勝手に合わず、複数を用意しなければならない。パーツを組み換えるだけでスタンドミラー、拡大鏡、二面鏡、三面鏡などの多機能を同時に持つ物がない。
【発明の開示】
【発明が解決しようとする課題】
【０００３】  旅行先やワンルームマンションなどで鏡を必要とする、さまざまな状況にひとつのセットの組み換えを変えることによって対応できる多機能な鏡を提供することを課題とする。
【課題を解決するための手段】
【０００４】  以上の課題を解決するために、この発明は、おもちゃのブロックのような凸凹の組パーツや吸盤を使用することにより複数の機能を持つことを特徴とする組み替え鏡である。
【発明の効果】
【０００５】  この発明により、多種類の鏡を用意しなくても組みパーツ、吸盤を使用することにより、必要に合わせてスタンドミラー、拡大鏡、二面鏡、三面鏡としての使用が簡単にできる。
【発明を実施するための最良の形態】
【０００６】  この発明の一実施形態を、図１から７に示します。
図１のＡ，Ｃは普通の鏡面で図７のＨ、Ｊ、Ｋのように三面鏡、スタンドミラー、二面鏡として使用できます。
図１のＢは凹面鏡（拡大鏡）になっているので図７のＨを左に反転させると図７のＩのように拡大鏡として使用できます。
図１のＤは携帯時に鏡同士がぶつかりを防ぐ半球のシリコンやゴムのクッションです。
図２のＥはフックパーツ、Ｆは吸盤パーツ、Ｇは安定台パーツの斜視図でＥは鏡に直接取り付けるフックパーツでブロック状の凹凸と鏡を挟む部分で構成されており、Ｆは鏡に取り付けられたフックパーツＥの凸部分が差し込めるように穴があります。Ｇは図５、６のように鏡に付いたＥに差し込む事により、図７のＪのようにスタンドミラーとして使用する際の安定台になります。
図３はフックパーツＥに吸盤パーツＦを取り付け、図７のＨ、Ｉのようにホテルやマンションなどの壁に取り付けられた一枚鏡や姿見に貼り付けることにより三面鏡、拡大鏡として使用できます。
図４は鏡Ａと鏡Ｃに段違いに取り付けられたフックパーツをはめ込んだ図です。これで図７のＫのように二面鏡、携帯時の形になります。【０００７】  図７は三面鏡、拡大鏡、スタンドミラー、二面鏡および携帯時の組み方の斜視図です。
「実施形態の効果」
この実施形態によれば、ホテルやワンルームマンションなど壁に取り付けの一枚鏡しかないところでもスタンドミラー、拡大鏡、二面鏡、三面鏡など多機能な使用ができる組み換え鏡となります。【０００８】「他の実施形態」
着物の着付けなどをチェックする姿見は一面鏡なので図１の鏡ＡＢのサイズを変更することにより、姿見を利用して簡単に三面鏡にすることができる。
各パーツの素材は木、金属、プラスチック、ビニール、ウレタン、シリコン、ゴムなどで、鏡の素材は携帯性、安全性を向上させるため、ガラス素材に限らず、割れにくく軽いプラスチック製など、使途により選択ができる。
【産業上の利用可能性】
【０００９】ホテル、旅館、トラベル用品店、ファンシーグッズストア、化粧品売り場、美容室、駅の売店などでの販売はもとより、着付け教室、劇場の楽屋、控え室、一枚鏡しかないワンルームマンションなどでも利用価値があります。
【図面の簡単な説明】
【００１０】
【図１】この発明の一実施形態を示す上面図である。
【図２】この発明の一実施形態を示す斜視図である。
【図３】この発明の一実施形態を示す斜視図である。
【図４】この発明の一実施形態を示す斜視図である。
【図５】この発明の一実施形態を示す斜視図である。
【図６】この発明の一実施形態を示す側面図である。
【図７】この発明の一実施形態を示す斜視図である。
【符号の説明】
【００１１】Ａ、鏡面
Ｂ、凹面鏡（拡大鏡）
Ｃ、鏡面
Ｄ、半球型ショック受けクッション
Ｅ、フックパーツ
Ｆ、吸盤パーツ
Ｇ、安定台パーツ
Ｈ、三面鏡としての使用時
Ｉ、拡大鏡としての使用時
Ｊ、スタンドミラーとしての使用時
Ｋ、二面鏡としての使用時および携帯時
【図１】
2006263400.tif 000003
【図２】
2006263400.tif 000004
【図３】
2006263400.tif 000005
【図４】
2006263400.tif 000006
【図５】
2006263400.tif 000007
【図６】
2006263400.tif 000008
【図７】
2006263400.tif 000009
(57)【要約】      （修正有）【課題】  生理用品を就寝時に使用する場合、後ろ部分にもれを防ぐ生理用品を提供する。【解決手段】  生理用品の後ろ部分に筒状の脱脂綿を設け、血液を捕集し、後ろ部分にもれを生じさせないようにする事を特徴とする生理用品。【選択図】  図１
2006263398.tif 000002
【特許請求の範囲】
【請求項１】
生理用品の後ろ部分に筒状の脱脂綿を設け、血液を後ろもれしないようにする事を特徴とする生理用品。
【発明の詳細な説明】
【技術分野】
【０００１】  本発明は、生理用品を使用時に、後ろもれを防ぐ生理用品に関するものである。
【背景技術】
【０００２】  従来、生理用品を使用したときは、就寝時後ろもれする。
横になるときは、気にして寝ていた。あるいは大きいものを付けたり、何度も起きて取り替えていた。
【発明の開示】
【発明が解決しようとする課題】
【０００３】  そのために、次のような問題点があった。
横になって寝る場合も、衣類などを汚してしまい能率が悪かった。
本発明は以上の問題点を解決しようとするものである。
【課題を解決するための手段】
【０００４】  生理用品の後ろ部分に筒状の脱脂綿を設け、血液を後ろもれしないようにする事を特徴とする生理用品である。
【発明の効果】
【０００５】  本発明は、生理用品の後ろ部分に筒状の脱脂綿を設け、血液を捕集する。したがって、後ろもれしないので、もれてしまうわずらわしさがない。
【発明を実施するための最良の形態】
【０００６】  以下、本発明の実施の形態を説明する。
（イ）生理用品の後ろ部分の中央に、筒（１）をとりつける。
本発明は、以上の構成よりなっている。
本発明を使用するときは、上記の生理用品を下着に装着する。
筒（１）を後ろ部分にしてとりつける。血液が、捕集される。この結果、寝ても後ろにもれることはない。
また、筒（１）の部分を挟むことによって、後ろもれを更に防ぐ。
【図面の簡単な説明】
【０００７】
【図１】本発明の斜視図
【符号の説明】
【０００８】  １  筒
【図１】
2006263398.tif 000003
(57)【要約】【課題】  従来人手で行われていた探傷液付着後の鋳造品の洗浄を自動化して大幅な工数低減を図る。【解決手段】液排出穴４１が設けられ、斜め上方へ向けて傾斜姿勢で設置された、探傷液が付着した鋳造品Ｗを収容するための容器体４と、当該容器体４を傾斜姿勢で回転させるモータ３と、容器体４内の鋳造品Ｗに対して洗浄水ＬＱを噴射する噴射ノズル５とを具備している。上記容器体４を、液排出穴４１を多数形成したパンチングメタルで構成し、当該パンチングメタルの材質を鋳造品Ｗよりも柔らかいものにする。  【選択図】        図１
2006263785.tif 000002
【特許請求の範囲】
【請求項１】
液排出穴が設けられ、斜め上方へ向けて傾斜姿勢で設置された、探傷液が付着した鋳造品を収容するための容器体と、当該容器体を前記傾斜姿勢で回転させる回転駆動手段と、前記容器体内の鋳造品に対して洗浄液を噴射する洗浄液噴射手段とを具備する鋳造品の洗浄装置。
【請求項２】
前記容器体を、前記液排出穴を多数形成したパンチングメタルで構成し、当該パンチングメタルの材質を前記鋳造品よりも柔らかいものにした請求項１に記載の鋳造品の洗浄装置。
【発明の詳細な説明】
【技術分野】
【０００１】
本発明は鋳造品の洗浄装置に関し、特に、蛍光浸透探傷液が付着した鋳造品を洗浄するのに適した鋳造品の洗浄装置に関する。
【背景技術】
【０００２】
鋳造工程で生じた鋳造品の疵を確実に検出するために蛍光浸透探傷法が使用される。これは、浸漬等によって鋳造品表面に蛍光浸透探傷液を付着させて、当該探傷液を鋳造品表面から疵中に浸透させる。その後、疵中に浸透した探傷液以外の余剰の探傷液を洗い流すために洗浄し、乾燥させた後に現像剤を鋳造品表面に付着させて疵中の浸透液を現像皮膜中に吸い上げさせて指示模様を生じさせる。この指示模様は紫外線下では蛍光を発するから、これを観察することによって鋳造品表面の微細な疵を確実に発見することができる。蛍光浸透探傷液が付着した鋳造品の洗浄は、従来、鋳造品を一個づつ手にとって洗浄ガンで洗浄水を吹き付けることによって行われている。なお、特許文献１には、回転軸芯を斜めにした回転かご内に多数の小部品を入れ、回転による水切りと、熱風吹き込みによる乾燥を行う脱水乾燥装置が示されている。
【特許文献１】特開平６−１３７７６０
【発明の開示】
【発明が解決しようとする課題】
【０００３】
上述のように、蛍光浸透探傷液を付着させた後の鋳造品の洗浄は従来人手によっているために、多大の工数を要するという問題があった。
【０００４】
そこで、本発明はこのような課題を解決するもので、従来人手で行われていた探傷液付着後の鋳造品の洗浄を自動化して大幅な工数低減を図ることができる鋳造品の洗浄装置を提供することを目的とする。
【課題を解決するための手段】
【０００５】
上記目的を達成するために、本発明では、液排出穴（４１）が設けられ、斜め上方へ向けて傾斜姿勢で設置された、探傷液が付着した鋳造品（Ｗ）を収容するための容器体（４）と、当該容器体（４）を傾斜姿勢で回転させる回転駆動手段（３，３１）と、容器体（４）内の鋳造品（Ｗ）に対して洗浄液（ＬＱ）を噴射する洗浄液噴射手段（５）とを具備している。
【０００６】
本第１発明において、回転駆動手段によって容器体を傾斜姿勢で回転させつつ、洗浄液噴射手段で洗浄水液を容器体内の鋳造品に向けて散布すると、傾斜した容器体内で鋳造品は容器体の側壁内周上を転がって頻繁に姿勢を変える。これにより、洗浄水が鋳造品の表面に満遍なく散布されて余剰の探傷液が洗い流される。
【０００７】
本第２発明では、上記容器体（４）を、液排出穴（４１）を多数形成したパンチングメタルで構成し、当該パンチングメタルの材質を鋳造品（Ｗ）よりも柔らかいものにする。本第２発明においては、容器体内の鋳造品に散布された洗浄液が、多数の開口から容器体外へ効率的に排出されるとともに、鋳造品が姿勢を変える際に容器体の内周に衝突しても、鋳造品が損傷を受けることはない。
【０００８】
なお、上記カッコ内の符号は、後述する実施形態に記載の具体的手段との対応関係を示すものである。
【発明の効果】
【０００９】
以上のように、本発明の鋳造品の洗浄装置によれば、従来人手で行われていた蛍光浸透探傷液付着後の鋳造品の洗浄を自動化することができるから、大幅な工数低減を実現することができる。
【発明を実施するための最良の形態】
【００１０】
図１には洗浄装置の断面図を示す。図において、床面ＦＬ上に上方へ開放する矩形の洗浄槽１が設置されている。洗浄槽１の開放口には脱着可能な蓋２が装着され、底壁には排水口１１が設けられている。洗浄槽１外の側壁１２には図略の支持ステーによってモータ３が設置されており、その駆動軸３１が側壁１２を貫通して洗浄槽１内へ突出している。駆動軸３１は側壁１２を斜め上方へ貫通しており、その先端には脱着機構３２が設けられて、これを介して簡易に着脱可能に容器体４が固定されている。容器体４は一方へ開放する左右対称形状の深いかご状のもので、全周に多数の液排出穴としての開口４１が形成されている。この容器体４は例えば、開口を多数形成したパンチングメタルを成形して構成されており、メタル材質としては、容器体４内に収容される鋳造品Ｗの材質よりも柔らかいものが好適である。
【００１１】
容器体４はその底壁４２の中心で脱着機構３２を介して上記駆動軸３１に固定されており、斜め上方へその開口４３を向けた傾斜姿勢で、駆動軸３１と同軸線上に位置する容器体４の、傾斜した中心軸ＣＬ回りに回転させられる。洗浄槽１内には容器体４の開口４３へ向けて噴射ノズル５が設けてあり、当該噴射ノズル５には給水ホース５１が接続されて、洗浄水ＬＱが供給されるようになっている。
【００１２】
洗浄作業を行う場合には、駆動軸３１の先端から容器体４を分離して洗浄槽１外へ取り出し、蛍光浸透探傷液中に浸漬される等によって探傷液が付着した鋳造品Ｗを容器体４内へ適当量投入する。鋳造品Ｗを投入した容器体４を再び洗浄槽１内の駆動軸３１先端に装着して、洗浄槽１を蓋体２で閉鎖し、モータ３によって容器体４を適当回転数で回転させつつ、噴射ノズル５から開口４３を経て洗浄水ＬＱを鋳造品Ｗに向け散布する。傾斜した容器体４内ではその回転に伴って、鋳造品Ｗは容器体４の側壁内周上を転がって頻繁に姿勢を変える。これにより、洗浄水ＬＱが鋳造品Ｗの表面に満遍なく散布されて余剰の探傷液が洗い流される。余剰の探傷液は液排出穴４１から洗浄槽１内へ流出し、排水口１１から排出される。
【００１３】
容器体４が回転し、鋳造品Ｗが姿勢を変える間に、容器体４の内周に鋳造品Ｗが衝突するが、容器体４の材質を鋳造品Ｗの材質よりも柔らかいものにすれば、鋳造品Ｗが損傷を受けることはない。また、容器体４の内面にゴム材等を貼り付ければ、容器体４の材質を硬くしても鋳造品Ｗに損傷を与えることはない。
【図面の簡単な説明】
【００１４】
【図１】本発明の一実施形態を示す、洗浄装置の垂直概略断面図である。
【符号の説明】
【００１５】
１…洗浄槽、３…モータ、３１…駆動軸、４…容器体、４…容器体、４１…開口、５…噴射ノズル、ＬＱ…洗浄液、Ｗ…鋳造品。
【図１】
2006263785.tif 000003
(57)【要約】      （修正有）【課題】自分の思ったことを代わりにするように動いてくれるロボットを提供する。【解決手段】声をかけたら動き、また形、素材、大きさを好み通りにできてて人のロボットと間違えない。【選択図】なし【特許請求の範囲】
【請求項１】
ロボットによって、自分のしてほしいと思ったことを、かわりにやってくれるようにしたもの。
【請求項２】
ロボットの形や色・素材・大きさを、好みにすることによって、自分らしいロボットができるように、したことを特徴とするロボット。
【発明の詳細な説明】
【技術分野】
【０００１】  本発明は、ロボットに関するものであり、ロボットの新開発によって、自分の思ったことを、変わりにするように、動いてくれるようにしたものです。
【背景技術】
【０００２】  従来から、開発されているロボットとして利用されている。この例として、特許文献１や、非特許文献１に開示されているものがある。
【特許文献１】  私は在じません
【非特許文献１】  私は在じません
【発明の開示】
【発明が解決しようとする課題】
【０００３】  しかし、従来のようなロボットでは、ある一定の事柄しか出来ず、非常に不便です。このような、ロボットがある一定の事柄しかできない不都合を解決することを、課題とします。
【課題を解決するための手段】
【０００４】  この課題を解決するための請求項１の発明は、人型ロボットをさらに発展させることを特徴とする、声かけによって動くようにしたロボットです。ナビゲーションシステムや、コンピューター等を合わせ持つことによって、円滑な動きを可能にすることにより、ロボットがいろいろな事ができないことを防止できます。【０００５】  また請求項２の発明は、形や色・素材・大きさを好み通りにしたことを特徴とする、お好みロボットです。好み通りにすることにより、人の物と間違えることを防止できる。また、このロボットは、好みの色・形・素材・大きにしている為、ロボットを使う人が特に、ロボットを間違えるということを意識する必要がない。
【発明の効果】
【０００６】  本発明により、ロボットを人のものと間違えてしまうという不都合はおきず、ロボットを使用しない時には声かけによって、止まることができます。又、体を動かす事が困難な人にかわってロボットがしてくれるという効果が期待されると思われます
【発明を実施するための最良の形態】
【０００７】  これらのロボットの素材は今開発されているものでも良いが、必要あらば、あらゆる種類の素材を使用したり、開発してもよい。また、ロボットの柄の大きさや色・形をいろいろにしてもよい。
【産業上の利用可能性】
【０００８】  本発明に係るロボットは、工業的にはオーダーメイドにする事が最良だが、必要に応じては、法にふれる事を出来ないようにする事です。その上で、工業的に量産する事は可能であるため、産業上の利用可能性を有する。
(57)【要約】  【課題】  駆動装置を小型化・低コスト化する。  【解決手段】  この樹脂シート加熱装置は、駆動装置Ｄにより上下動可能な支持部材１と、支持部材１の上面に支持されるトレー２と、トレー２の上面にセットされる樹脂シート３と、樹脂シート３の上方に対向配置されるヒーター４とを備えている。また、ヒーター４は下面に開口したヒーター室７内に設けられ、支持部材１を上昇させたときに、支持部材１によりヒーター室７の下面開口が実質的に閉じられる。また、支持部材１の上面にはトレー２を支持する複数の支持凸部５…が固定される。【選択図】  図３
2006110783.tif 000002
【特許請求の範囲】
【請求項１】
駆動装置により上下動可能な支持部材と、支持部材の上面に支持されるトレーと、トレーの上面にセットされる樹脂シートと、樹脂シートの上方に対向配置されるヒーターとを備えた樹脂シート加熱装置。
【請求項２】
請求項１において、ヒーターは下面に開口したヒーター室内に設けられ、支持部材を上昇させたときに、支持部材によりヒーター室の下面開口が実質的に閉じられる樹脂シート加熱装置。
【請求項３】
請求項１または２において、支持部材の上面にはトレーを支持する複数の支持凸部が固定された樹脂シート加熱装置。
【発明の詳細な説明】
【技術分野】
【０００１】
本発明は、真空成形・圧空成形など空気圧成形の前工程で好適に利用できる樹脂シート加熱装置に関する。
【背景技術】
【０００２】
特許文献１の樹脂シート加熱装置では、上下に対向配置された一対のヒーター及びヒーターフレームが駆動装置により上下動可能な取付フレームに固定され、一対のヒーター間に樹脂シート及びシートクランプ台車が設けられている。
【特許文献１】特開平８−２５８１３７号公報
【発明の開示】
【発明が解決しようとする課題】
【０００３】
しかし、重量の大きいヒーター及びヒーターフレームを上下動させるため、駆動装置が大型化しコストも必然的に高くなるという解決すべき課題があることに着目されるべきである。本発明はこのような解決すべき課題を鑑み、駆動装置を小型化・低コスト化することを目的とする。
【課題を解決するための手段】
【０００４】
本発明を要約すると、駆動装置により上下動可能な支持部材と、支持部材の上面に支持されるトレーと、トレーの上面にセットされる樹脂シートと、樹脂シートの上方に対向配置されるヒーターとを備えた樹脂シート加熱装置である。
【発明の効果】
【０００５】
本発明によれば、支持部材でトレーと樹脂シートなど軽量体を上下動すればよいため、駆動装置の小型化及び低コスト化に寄与する。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、駆動装置Ｄにより上下動可能な支持部材１と、支持部材１の上面に支持されるトレー２と、トレー２の上面にセットされる樹脂シート３と、樹脂シート３の上方に対向配置されるヒーター４とを備えた樹脂シート加熱装置である。本実施形態によれば、支持部材１でトレー２と樹脂シート３など軽量体を上下動すればよいため、駆動装置Ｄの小型化及び低コスト化に寄与する。なお、駆動装置Ｄとしては電動式、流体圧式などを適宜用いればよく、駆動装置Ｄにより駆動軸６を上下動することにより、駆動軸６に固定した支持部材１を上下動可能にしている。
【０００８】
また、ヒーター４は下面に開口したヒーター室７内に設けられ、支持部材１を上昇させたときに、支持部材１によりヒーター室７の下面開口が実質的に閉じられるため、ヒーター室７内の温度が下がりにくくなり、熱効率が向上する。また、支持部材１の上面にはトレー２を支持する複数の支持凸部５…が固定されるため、支持凸部５…がない個所では支持部材１とトレー２間に間隔が設けられ、図示されない支持アームなどの支持手段をトレー２と支持部材１の間に挿入しやすくなり、トレー２の支持部材１(支持凸部５)に対する着脱に有利となる。
【０００９】
さらに詳述すれば、トレー２(金属板)の上面には耐熱性・断熱性の高い不織布などを貼り付け、その上面に樹脂シート３をセットすると好ましい。ヒーター室７とヒーター４の間には図示しない断熱材を配置しておくのが好ましく、また、ヒーター４の外周部は側板８及び下面板９で支持され、そして、下面板９は複数の支柱１０…を介して台板１１に支持されている。また、駆動装置Ｄも台板１１に支持されている。
【００１０】
次に、樹脂シート３の加熱工程を順に説明する。図１は、ヒーター４に電源投入した初期予熱時あるいは加熱工程サイクル中における待機時を示し、それらの場合には、支持部材１が上昇されて支持部材１によりヒーター室７の下面開口が実質的に閉じられ、無駄な熱放散を防止している。樹脂シート３を加熱軟化する際は図２のように、支持部材１を下降してから樹脂シート３がセットされたトレー２を支持部材１の上面に対して図示しない支持アームなど適宜の支持手段にて側部から送り込み、トレー２が支持凸部５…に支持されるようにする。
【００１１】
そして、支持部材１を上昇させて図３のように樹脂シート３をヒーター室７内に送り込み、樹脂シート３をヒーター４に近接させて加熱軟化させる。必要な加熱軟化が完了すれば、図４のように支持部材１を下降させ、さらに図５のように樹脂シート３を支持したままトレー２をやはり支持アームなどで側部方向に取り出して、次の空気圧成形工程などに送る。次に直ちに別の樹脂シートを加熱する場合は図２の工程に移行すればよいが、空気圧成形工程などとの関係で時間待ちを要する場合は図６のように図１と同じく支持部材１を上昇させておき、支持部材１によりヒーター室７の下面開口を実質的に閉じておけば、無駄な熱放散が防止される。
【図面の簡単な説明】
【００１２】
【図１】工程１を示す断面図
【図２】工程２を示す断面図
【図３】工程３を示す断面図
【図４】工程４を示す断面図
【図５】工程５を示す断面図
【図６】工程６を示す断面図
【符号の説明】
【００１３】
Ｄ  駆動装置
１  支持部材
２  トレー
３  樹脂シート
４  ヒーター
５  支持凸部
７  ヒーター室
【図１】
2006110783.tif 000003
【図２】
2006110783.tif 000004
【図３】
2006110783.tif 000005
【図４】
2006110783.tif 000006
【図５】
2006110783.tif 000007
【図６】
2006110783.tif 000008